(57)【要約】【課題】複数の電池モジュールを積層し、積層された電池モジュール間を容易に連結する。【解決手段】本発明の電池モジュール１００は、少なくとも一つのフランジ部を有する第１エンドプレート１０６及び第２エンドプレート１０７と、一対のエンドプレートの間で第１方向に沿って配置された複数の電池部と、複数の電池部の第１側に形成され、第１方向に延びて、前記第１及び第２エンドプレートのフランジ部に結合された第１ガイドプレート１０９と、第１側と対向する電池部の第２側に形成され、第１方向に延びて、第１及び第２エンドプレートのフランジ部に結合された第２ガイドプレート１０９と、を備える電池モジュールである。【選択図】図３
2011100727.tif 000002
【特許請求の範囲】
【請求項１】
少なくとも一つのフランジ部を有する第１エンドプレート及び第２エンドプレートと、
一対のエンドプレートの間で第１方向に沿って配置された複数の電池部と、
複数の電池部の第１側に形成され、第１方向に延びて、前記第１及び第２エンドプレートのフランジ部に結合された第１ガイドプレートと、
第１側と対向する電池部の第２側に形成され、第１方向に延びて、第１及び第２エンドプレートのフランジ部に結合された第２ガイドプレートと、を備える電池モジュール。
【請求項２】
前記第１方向に垂直な第２方向での第１及び第２ガイドプレートの間隔は、第２方向でのエンドプレートの幅より大きいか、または同じであることを特徴とする請求項１に記載の電池モジュール。
【請求項３】
複数の電池部の第３側に形成され、前記第１方向に延びて、第１及び第２エンドプレートに結合された第１補強プレートがさらに形成され、
第３側と対向する複数の電池部の第４側に形成され、前記第１方向に延びて、第１及び第２エンドプレートに結合された第２補強プレートがさらに形成されたことを特徴とする請求項１に記載の電池モジュール。
【請求項４】
前記第１補強プレートは、複数の電池部の第３側に形成された第１ベースプレートと、複数の電池部から遠くなるように、第１ベースプレートの各側に形成された第１ベンディング部と、を備え、
前記第２補強プレートは、複数の電池部の第４側に形成された第２ベースプレートと、複数の電池部から遠くなるように、第２ベースプレートの各側に形成された第２ベンディング部と、を備えることを特徴とする請求項３に記載の電池モジュール。
【請求項５】
少なくとも一つのフランジ部は、
複数の電池部から遠くなるように、ベースプレートの第１及び２側からそれぞれ延びた第１及び第２フランジ部と、
前記複数の電池部から遠くなるように、第３側から延びた第３フランジ部と、
前記複数の電池部から遠くなるように、第３側と対向するベースプレートの第４側から延びた第４フランジ部と、を備えることを特徴とする請求項１に記載の電池モジュール。
【請求項６】
各フランジ部には、結合孔が形成されたことを特徴とする請求項５に記載の電池モジュール。
【請求項７】
複数の電池部の第３側に形成され、第１方向に延びて、第１及び第２エンドプレートと結合された第１補強プレートがさらに備えられ、
第３側と対向する複数の電池部の第４側に形成され、第１方向に延びて、第１及び第２エンドプレートと結合された第２補強プレートをさらに備え、
第１補強プレートは、第３フランジ部に付着され、第２補強プレートは、第４フランジ部に付着されたことを特徴とする請求項５に記載の電池モジュール。
【請求項８】
第１補強プレートと複数の電池部の第３フランジ部との間に形成された第１絶縁プレートと、
第２補強プレートと複数の電池部の第４補強プレートとの間に形成された第２絶縁プレートと、をさらに備えることを特徴とする請求項７に記載の電池モジュール。
【請求項９】
前記第３フランジ部は、ベースプレートの他の部分より低い高さを有する一部分を含み、低い高さの部分には第１補強プレートを受容することを特徴とする請求項７に記載の電池モジュール。
【請求項１０】
第１ガイド及び第２ガイドプレートは、熱放出孔を有することを特徴とする請求項１に記載の電池モジュール。
【請求項１１】
複数の電池モジュールを備え、
各複数の電池モジュールは、
少なくとも一つのフランジ部を有する第１エンドプレート及び第２エンドプレートと、
一対のエンドプレートの間で第１方向に沿って配置された複数の電池部と、
複数の電池部の第１側に形成され、第１方向に延びて、第１及び第２エンドプレートのフランジ部に結合された第１ガイドプレートと、
第１側と対向する複数の電池部の第２側に形成され、第１方向に延びて、第１及び第２エンドプレートのフランジ部に結合された第２ガイドプレートと、を備える電池パック。
【請求項１２】
複数の電池モジュールは、第２方向、第１及び第２方向と垂直な第３方向のうち少なくとも一方向に互いに隣接したことを特徴とする請求項１１に記載の電池パック。
【請求項１３】
複数の電池モジュールのそれぞれは、
複数の電池部の第３側に形成され、第１方向に延びて、第１及び第２エンドプレートと結合された第１補強プレートと、
第３側と逆になる複数の電池部の第４側に形成され、第１方向に延びて、第１及び第２エンドプレートと結合された第２補強プレートと、をさらに備えることを特徴とする請求項１１に記載の電池パック。
【請求項１４】
電池モジュールは、第１及び第２方向と垂直な第３方向に互いに隣接し、
一つの電池モジュールの第１補強プレート、及び他の一つの電池モジュールの第２補強プレートは、ガス放電ホールを形成することを特徴とする請求項１３に記載の電池パック。
【請求項１５】
前記第１補強プレートは、複数の電池部の第３側に形成された第１ベースプレートと、複数の電池部から遠くなるように、第１ベースプレートの各側に形成された第１ベンディング部と、を備え、
前記第２補強プレートは、複数の電池部の第４側に形成された第２ベースプレートと、複数の電池部から遠くなるように、第２ベースプレートの各側に形成された第２ベンディング部と、を備えることを特徴とする請求項１３に記載の電池パック。
【請求項１６】
各エンドプレートのそれぞれの複数の電池部と隣接したベースプレートを備え、
少なくとも一つのフランジ部は、
複数の電池部から遠くなるように、ベースプレートの第１及び２側からそれぞれ延びた第１及び第２フランジ部と、
前記複数の電池部から遠くなるように、ベースプレートの第３側から延びた第３フランジ部と、
前記複数の電池部から遠くなるように、第３側と対向するベースプレートの第４側から延びた第４フランジ部と、を備えることを特徴とする請求項１１に記載の電池パック。
【請求項１７】
一つの電池モジュールの一つのエンドプレートの少なくとも一つのフランジ部の少なくとも一部分は、第２方向、第１方向及び第２方向と垂直な第３方向のうち少なくともいずれか一方向に隣接した一つの電池モジュールの一つのエンドプレートの少なくとも一つのフランジ部の少なくとも一部分と接触することを特徴とする請求項１６に記載の電池パック。
【請求項１８】
各エンドプレートは、結合孔を有し、
隣接した複数の電池モジュールの第１エンドプレートは、結合孔を通じてファスナーに結合され、隣接した複数の電池モジュールの第２エンドプレートは、結合孔を通じてファスナーに結合されたことを特徴とする請求項１１に記載の電池パック。
【請求項１９】
隣接した電池モジュールの第１エンドプレートは、互いに溶接され、
隣接した電池モジュールの第２エンドプレートは、互いに溶接されたことを特徴とする請求項１１に記載の電池パック。
【発明の詳細な説明】
【技術分野】
【０００１】
本発明は、電池モジュール及び電池パックに関し、積層された複数の電池モジュールが互いに連結された電池パックに適用して好適である。
【背景技術】
【０００２】
通常的に、二次電池は、充電が不可能な一次電池とは異なり、充電及び放電が可能な電池である。二次電池は、モバイル機器や電気自動車やハイブリッド電気自動車や電気自転車や無停電電源供給装置などのエネルギー源として使われる。
【先行技術文献】
【特許文献】
【０００３】
【特許文献１】韓国特許出願公開２００７−０１０１０２５号公報
【特許文献２】韓国特許出願公開２００７−００２５７３４号公報
【特許文献３】韓国特許出願公開２００８−００３４６２５号公報
【発明の概要】
【発明が解決しようとする課題】
【０００４】
そのうち、小型のモバイル機器では、少量の電池セルが使われる。一方、電気自動車やハイブリッド電気自動車のような中大型デバイスは、高出力、大容量が要求されるので、複数の電池セルが互いに電気的に連結された電池パックを使用する。一般的に、複数の電池セルは、直列または並列に連結して電池ユニットに内蔵される。前記複数の電池ユニットは、複数連結させて電池モジュールをなしている。複数の電池モジュールは、さらに高い出力と容量を提供するために、複数連結して電池パックをなしている。このような構成では、別途の連結フレームを設けることなどによって、電池モジュール間を堅固に固定する必要がある。
【０００５】
そこで、本発明は、上記問題に鑑みてなされたものであり、本発明の目的とするところは、複数の電池モジュールを積層し、積層された電池モジュール間を容易に連結することが可能な、新規かつ改良された電池モジュール及び電池パックを提供することにある。
【課題を解決するための手段】
【０００６】
上記課題を解決するために、本発明のある観点によれば、少なくとも一つのフランジ部を有する第１エンドプレート及び第２エンドプレートと、一対のエンドプレートの間で第１方向に沿って配置された複数の電池部と、複数の電池部の第１側に形成され、第１方向に延びて、前記第１及び第２エンドプレートのフランジ部に結合された第１ガイドプレートと、第１側と対向する電池部の第２側に形成され、第１方向に延びて、第１及び第２エンドプレートのフランジ部に結合された第２ガイドプレートと、を備える電池モジュールが提供される。
【０００７】
また、前記第１方向に垂直な第２方向での第１及び第２ガイドプレートの間隔は、第２方向でのエンドプレートの幅より大きいか、または同一であってもよい。
【０００８】
また、電池モジュールは、複数の電池部の第３側に形成され、前記第１方向に延びて、第１及び第２エンドプレートに結合された第１補強プレートがさらに形成され、第３側と対向する複数の電池部の第４側に形成され、前記第１方向に延びて、第１及び第２エンドプレートに結合された第２補強プレートがさらに形成されるものであってもよい。
【０００９】
また、前記第１補強プレートは、複数の電池部の第３側に形成された第１ベースプレートと、複数の電池部から遠くなるように、第１ベースプレートの各側に形成された第１ベンディング部と、を備え、前記第２補強プレートは、複数の電池部の第４側に形成された第２ベースプレートと、複数の電池部から遠くなるように、第２ベースプレートの各側に形成された第２ベンディング部と、を備えるものであってもよい。
【００１０】
また、少なくとも一つのフランジ部は、複数の電池部から遠くなるように、ベースプレートの第１及び第２側からそれぞれ延びた第１及び第２フランジ部と、前記複数の電池部から遠くなるように、第３側から延びた第３フランジ部と、前記複数の電池部から遠くなるように、第３側と対向するベースプレートの第４側から延びた第４フランジ部と、を備えるものであってもよい。
【００１１】
また、各フランジ部には、結合孔が形成されるものであってもよい。
【００１２】
また、電池モジュールは、複数の電池部の第３側に形成され、第１方向に延びて、第１及び第２エンドプレートと結合された第１補強プレートがさらに備えられ、第３側と対向する複数の電池部の第４側に形成され、第１方向に延びて、第１及び第２エンドプレートと結合された第２補強プレートをさらに備え、第１補強プレートは、第３フランジ部に付着され、第２補強プレートは、第４フランジ部に付着されるものであってもよい。
【００１３】
また、電池モジュールは、第１補強プレートと複数の電池部の第３フランジ部との間に形成された第１絶縁プレートと、第２補強プレートと複数の電池部の第４補強プレートとの間に形成された第２絶縁プレートと、をさらに備えるものであってもよい。
【００１４】
また、前記第３フランジ部は、ベースプレートの他の部分より低い高さを有する一部分を含み、低い部分には、第１補強プレートを受容するものであってもよい。
【００１５】
また、第１ガイド及び第２ガイドプレートは、熱放出孔を有するものであってもよい。
【００１６】
また、上記課題を解決するために、本発明の別の観点によれば、複数の電池モジュールを備え、各複数の電池モジュールは、少なくとも一つのフランジ部を有する第１エンドプレート及び第２エンドプレートと、一対のエンドプレートの間で第１方向に沿って配置された複数の電池部と、複数の電池部の第１側に形成され、第１方向に延びて、第１及び第２エンドプレートのフランジ部に結合された第１ガイドプレートと、第１側と対向する複数の電池部の第２側に形成され、第１方向に延びて、第１及び第２エンドプレートのフランジ部に結合された第２ガイドプレートと、を備える電池パックが提供される。
【００１７】
また、複数の電池モジュールは、第２方向、第１及び第２方向と垂直な第３方向のうち少なくとも一方向に互いに隣接するものであってもよい。
【００１８】
また、複数の電池モジュールのそれぞれは、複数の電池部の第３側に形成され、第１方向に延びて、第１及び第２エンドプレートと結合された第１補強プレートと、第３側と逆になる複数の電池部の第４側に形成され、第１方向に延びて、第１及び第２エンドプレートと結合された第２補強プレートと、をさらに備えるものであってもよい。
【００１９】
また、電池モジュールは、第１及び第２方向と垂直な第３方向に互いに隣接し、一つの電池モジュールの第１補強プレート、及び他の一つの電池モジュールの第２補強プレートは、ガス放電ホールを形成するものであってもよい。
【００２０】
また、前記第１補強プレートは、複数の電池部の第３側に形成された第１ベースプレートと、複数の電池部から遠くなるように、第１ベースプレートの各側に形成された第１ベンディング部と、を備え、前記第２補強プレートは、複数の電池部の第４側に形成された第２ベースプレートと、複数の電池部から遠くなるように、第２ベースプレートの各側に形成された第２ベンディング部と、を備えるものであってもよい。
【００２１】
また、各エンドプレートのそれぞれの複数の電池部と隣接したベースプレートを備え、少なくとも一つのフランジ部は、複数の電池部から遠くなるように、ベースプレートの第１及び第２側からそれぞれ延びた第１及び第２フランジ部と、前記複数の電池部から遠くなるように、ベースプレートの第３側から延びた第３フランジ部と、前記複数の電池部から遠くなるように、第３側と対向するベースプレートの第４側から延びた第４フランジ部と、を備えるものであってもよい。
【００２２】
また、一つの電池モジュールの一つのエンドプレートの少なくとも一つのフランジ部の少なくとも一部分は、第２方向、第１方向及び第２方向と垂直な第３方向のうち少なくともいずれか一方向に隣接した一つの電池モジュールの一つのエンドプレートの少なくとも一つのフランジ部の少なくとも一部分と接触するものであってもよい。
【００２３】
また、各エンドプレートは、結合孔を有し、隣接した複数の電池モジュールの第１エンドプレートは、結合孔を通じてファスナーに結合され、隣接した複数の電池モジュールの第２エンドプレートは、結合孔を通じてファスナーに結合されるものであってもよい。
【００２４】
また、隣接した電池モジュールの第１エンドプレートは、互いに溶接され、隣接した電池モジュールの第２エンドプレートは、互いに溶接されるものであってもよい。
【発明の効果】
【００２５】
本発明によれば、積層された電池モジュールは、エンドプレートを利用して互いに連結させることによって、別途の連結フレームの必要なく電池モジュール間を堅固に固定することが可能となる。
【図面の簡単な説明】
【００２６】
【図１】本発明の一実施形態による電池モジュールを示す斜視図である。
【図２】図１の電池モジュールのエンドプレートを示す斜視図である。
【図３】図１の複数のエンドプレートが連結された部分を拡大して示す斜視図である。
【図４】図３の一つのエンドプレートが設置された部分を拡大して示す斜視図である。
【図５】図４の正面図である。
【図６】図１の電池モジュールが複数個積層された電池パックを示す斜視図である。
【発明を実施するための形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
以下、添付された図面を参照して、本発明による望ましい実施形態を詳細に説明すれば、次の通りである。図１は、本発明の一実施形態による電池モジュール１００を示すものである。
【００２９】
図面を参照すれば、前記電池モジュール１００は、複数の電池ユニット１０１を備える。前記複数の電池ユニット１０１は、水平方向（Ｙ方向）に沿って連続的に配置されている。代案としては、前記複数の電池ユニット１０１は、垂直方向（Ｚ方向）に沿って連続的に配置されるなど、電池ユニットがいずれか一方向に積層される構造ならば、いずれか一つに限定されるものではない。
【００３０】
図示していないが、一つの電池ユニット１０１の内部には、複数の電池セルが積層されている。複数の電池セルは、ケース１０２の内部に収容されている。
【００３１】
電池セルは、通常的なリチウム二次電池のような二次電池が適用される。電池セルは、円筒形の二次電池や、角形の二次電池や、ポリマー二次電池などいずれか一つの二次電池に限定されるものではない。複数の電池セルは、正極タブ及び負極タブにより電気的に連結され、正極タブ及び負極タブは、それぞれケース１０２の外部に突出した正極端子１０３及び負極端子１０４に電気的に連結されている。複数の電池セルは、並列に連結されるか、または直列に連結されるか、または直列及び並列が混合されて連結されるなど、いずれか一つの連結方式に限定されるものではない。
【００３２】
隣接した電池ユニット１０１は、極性が互いに逆になるように交差配列し、一つの電池ユニット１０１の正極端子１０３は、バスバー１０５により、これと隣接した他の電池ユニット１０１の負極端子１０４と連結されている。
【００３３】
これによって、複数の電池ユニット１０１は、連続的に連結されて、一つの電池モジュール１００をなしている。前記電池ユニット１０１の個数は、設計時に要求される充電及び放電容量を考慮して決められる。
【００３４】
前記電池モジュール１００の最外郭には、一対のエンドプレート１０８が設置されている。前記エンドプレート１０８は、前記電池モジュール１０１の一側の端部に設置される第１エンドプレート１０６と、前記電池モジュール１０１の他側の端部に設置される第２エンドプレート１０７と、を備える。
【００３５】
前記第１エンドプレート１０６の一面、及び第２エンドプレート１０７の一面は、電池モジュール１００の最外郭の両側に配置された電池ユニット１０１の外面にそれぞれ密着されている。
【００３６】
前記第１エンドプレート１０６及び第２エンドプレート１０７は、ガイドプレート１０９により結合されている。前記ガイドプレート１０９は、複数の電池ユニット１０１の側壁に沿って延びている。前記ガイドプレート１０９は、ストリップ型のプレートであって、一端は第１エンドプレート１０６に螺合され、他端は第２エンドプレート１０７に螺合されている。これによって、前記複数の電池ユニット１０１は、水平方向に連続的に配列された状態で位置離脱がない。
【００３７】
前記ガイドプレート１０９には、放熱孔１１０が形成されている。前記放熱孔１１０は、前記ガイドプレート１０９の長手方向に沿って所定の間隔ほど離隔されて配置されている。前記放熱孔１１０は、駆動中に電池ユニット１０１から発生する熱を外部に迅速に排出するために形成される。
【００３８】
図２は、図１のエンドプレート１０８を示すものである。図面を参照すれば、前記エンドプレート１０８は、ベースプレート１１１と、前記ベースプレート１１１からベンディングされたフランジ部１１２と、を備える。前記ベースプレート１１１は、前記電池ユニット１０１（図１）の外形をカバーできる大きさを有する。本実施形態では、ベースプレート１１１は、ほぼ四角形であるが、これに限定されるものではない。
【００３９】
前記フランジ部１１２は、前記ベースプレート１１１のエッジから前記電池ユニット１０１が配置された方向に対して逆方向にベンディングされている。前記フランジ部１１２は、ベースプレート１１１の左右エッジや下部エッジのように、ベースプレート１１１からカットなしに一つのベンディング部を形成するか、またはベースプレート１１１の上部エッジのように、ベースプレート１１１の一部をカットし、ベンディングされる部分の高さを互いに異ならせることによって、複数のベンディング部を形成できるなど、他の部品との結合される方式によって多様にベンディング可能である。
【００４０】
一方、前記フランジ部１１２には、複数の結合孔１１３が形成されている。
図３は、図１の複数のエンドプレート１０８が連結された部分を拡大して示すものである。図６は、図１の電池モジュール１００が複数個積層された電池パック３００を示すものである。
【００４１】
図３において、本実施形態のエンドプレート１０８は、第１エンドプレート１０６及び第２エンドプレート１０７だけでなく、後述する上部エンドプレート１４０及び下部エンドプレート１５０をいずれも備え、実質的に同じ形状を有している同じ部材である。
【００４２】
図３及び図６を参照すれば、前記電池パック３００は、複数の電池モジュール１００が水平方向及び垂直方向に積層されてなる集合体である。前記電池モジュール１００の個数は、設計時に要求される充電及び放電容量を考慮して決められる。
【００４３】
このとき、水平及び垂直方向に積層された複数の電池モジュール１００は、互いに連結されている。前述したように、各電池モジュール１００の最外郭には、一対のエンドプレート１０８が設置されている。隣接して配置された電池モジュール１００は、各電池モジュール１００の最外郭に設置されたエンドプレート１０８を互いに連結することによって結合されている。
【００４４】
例えば、上部電池モジュール１２０と、前記上部電池モジュール１２０の下部に配置された下部電池モジュール１３０との結合は、次の通りである。
【００４５】
前記上部電池モジュール１２０の最外郭には、上部エンドプレート１４０が配置されている。前記上部エンドプレート１４０は、上部ベースプレート１４１と、前記上部ベースプレート１４１のエッジからベンディングされる上部フランジ部１４２と、を備える。前記下部電池モジュール１３０の最外郭には、下部エンドプレート１５０が配置されている。前記下部エンドプレート１５０は、下部ベースプレート１５１と、前記下部ベースプレート１５１のエッジからベンディングされる下部フランジ部１５２と、を備える。
【００４６】
前記上部エンドプレート１４０及び下部エンドプレート１５０は、垂直方向に同じ位置に配置されている。前記上部ベースプレート１４１の下部エッジからベンディングされた上部フランジ部１４２は、前記下部ベースプレート１５１の上部エッジからカットされてベンディングされた下部フランジ部１５２に対して、少なくとも一部分が面接触されている。
【００４７】
このとき、前記上部フランジ部１４２及び下部フランジ部１５２に形成された結合孔を互いに一致させ、結合孔を通じてボルト１４３を挿入してナット１４４を締結する。
【００４８】
これによって、上部エンドプレート１４０及び下部エンドプレート１５０は互いに結合される。前記上部エンドプレート１４０及び下部エンドプレート１５０により支持される前記上部電池モジュール１２０、及び下部電池モジュール１３０は、位置離脱がない。前記のような方式で水平方向及び垂直方向に積層された複数の電池モジュール１００は、互いに堅固に固定される。
【００４９】
一方、前記ボルト１４３及びナット１４４のような締結部材を利用した結合方式以外にも、溶接結合など前記上部エンドプレート１４０に対して下部エンドプレート１５０を結合させる方式ならば、いずれか一つに限定されるものではない。
【００５０】
さらに、前記電池モジュール１００には、構造的にそれらを補強して支持するための補強プレート４０１がさらに設置されている。前記補強プレート４０１は、上部補強プレート４０２及び下部補強プレート４０３を備える。
【００５１】
図４は、図３の一つのエンドプレート１０８が設置された部分を拡大して示す斜視図であり、図５は、図４の正面図である。
【００５２】
図４及び図５を参照すれば、前記エンドプレート１０８は、ベースプレート１１１と、前記ベースプレート１１１の上部エッジからベンディングされた上部フランジ部１１２ａと、前記ベースプレート１１１の下部エッジからベンディングされた下部フランジ部１１２ｂとを備える。前記上部フランジ部１１２ａは、前記ベースプレート１１１の一部をカットし、ベンディングされる部分の高低を異ならせることによって複数のベンディング部を形成し、下部フランジ部１１２ｂは、前記ベースプレート１１１からカットなしにベンディング部を形成している。例えば、前記上部フランジ部１１２ａは、他の部分より低い高さを有する一部分を有している。
【００５３】
このとき、前記電池モジュール１００の上部には、上部補強プレート４０２が設置され、前記電池モジュール１００の下部には、下部補強プレート４０３が設置されている。前記上部補強プレート４０２は、前記電池モジュール１００の長手方向に沿って前記電池モジュール１００の上部に配置された上部ベースプレート４０４と、前記上部ベースプレート４０４の両エッジから垂直方向に上方に折り曲げられた上部ベンディング部４０５とを備える。前記下部補強プレート４０３は、前記電池モジュール１００の長手方向に沿って前記電池モジュール１００の下部に配置された下部ベースプレート４０６と、前記下部ベースプレート４０６の両エッジから垂直方向に下方に折り曲げられた下部ベンディング部４０７とを備える。
【００５４】
前記上部ベースプレート４０４の端部は、ボルト１４３及びナット１４４のような締結部材により、前記上部フランジ部１１２ａに堅固に固定されている。また、前記下部ベースプレート４０６の端部も、ボルト１４３及びナット１４４のような締結部材により、前記下部フランジ部１１２ｂに結合されている。
【００５５】
前記のような構造を有する上部補強プレート４０２及び下部補強プレート４０３は、複数の電池ユニット１０１の重量により、電池モジュール１００が下側に変形されることを防止する役割を行う。
【００５６】
さらに、前記電池モジュール１００の上部と対向する上部ベースプレート４０４の下面、及び前記電池モジュール１００の下部と対向する下部ベースプレート４０６の上面には、垂直方向に積層された電池ユニット１０１の落下によるショートを防止するために、絶縁性素材、例えば、高分子樹脂で形成された絶縁プレート４０８がさらに設置されることが望ましい。前記絶縁プレート４０８は、前記上部ベースプレート４０４及び下部ベースプレート４０６の長手方向に沿って付着されている。
【００５７】
代案としては、前記上部補強プレート４０２及び下部補強プレート４０３が金属材の代わりに、所望の強度を有する絶縁性素材で形成される場合には、それ自体が絶縁性を有するので、別途の絶縁プレート４０８が要求されない。このように、前記複数の電池ユニット１０１と補強プレート４０１との間に絶縁性を維持するならば、いずれか一つに限定されるものではない。
【００５８】
再び図３を参照すれば、上部電池モジュール１２０の下部に設置された下部補強プレート４０３と、前記下部電池モジュール１３０の上部に設置された上部補強プレート４０２とは互いに結合されて、密閉された形状のガス排出孔３０１を形成している。これによって、下部電池モジュール１３０の破損によって、電池ユニット１０１の内部からガスが発生した時、ガス排出孔３０１は、ガス通路の役割を行える。
【００５９】
前記のような構造を有する電池パック３００は、図６に示したように、複数の電池モジュール１００が水平方向及び垂直方向に積層されてなされた集合体をなしている。隣接して配置された複数の電池モジュール１００は、最外郭に配置された一対のエンドプレート１０６，１０７を互いに連結させることによって堅固に固定可能である。
【００６０】
以上説明したように本実施形態によれば、別途のフレームが不要であることによって、電池パックの重量を減少することが可能である。また、積層された電池モジュール１００の構造を単純にすることができる。また、積層された電池モジュール１００を連結させる構造が同一であるので、製造コストが低減することができる。また、積層された電池モジュール間に補強プレートが設置されることによって、複数の電池ユニット１０１を支持することができる。また、補強プレートの設置によって、隣接した電池モジュール１００の間にガス排気通路を形成できる。
【００６１】
本発明は、図面に示した一実施形態を参考にして説明したが、これは、例示的なものに過ぎず、当業者ならば、これから多様な変形及び均等な他の実施形態が可能であるという点を理解できるであろう。したがって、本発明の真の技術的保護範囲は、特許請求の範囲の技術的思想により決まらねばならない。
【００６２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００６３】
本発明は、電池パック関連の技術分野に広く適用可能である。
【符号の説明】
【００６４】
１００  電池モジュール
１０１  電池ユニット
１０３  正極端子
１０４  負極端子
１０５  バスバー
１０６  第１エンドプレート
１０７  第２エンドプレート
１０８  エンドプレート
１０９  ガイドプレート
１２０  上部電池モジュール
１３０  下部電池モジュール
１４０  上部エンドプレート
１５０  下部エンドプレート
４０２  上部補強プレート
４０３  下部補強プレート
【図１】
2011100727.tif 000003
【図２】
2011100727.tif 000004
【図３】
2011100727.tif 000005
【図４】
2011100727.tif 000006
【図５】
2011100727.tif 000007
【図６】
2011100727.tif 000008